(57)【要約】【課題】  本発明は、作業者による２次仕分けを不要とし、店舗の通路単位で物品の仕分けを行うことができる仕分け設備を提供することを目的とする。【解決手段】  各分岐搬送経路18において店舗の通路単位の段ボール２が他の店舗の通路単位の段ボール２に混じることがないように、かつ複数のスタッカークレーン４が同時に稼動されるように、各自動倉庫１から搬出される段ボール２のグループが形成され、形成されたグループ毎に、段ボール２が各自動倉庫１の保管棚３からスタッカークレーン４により搬出され、搬出された各段ボール２は分岐装置19により各分岐搬送経路18へ店舗の通路単位毎に仕分けられる構成とする。この構成によれば、店舗の通路単位に段ボール２は各分岐搬送経路18へ仕分けられ、よって分岐搬送経路18の下流部から段ボール２をカート37に移載するとき、作業者が通路単位毎に段ボール２を仕分ける２次仕分けを不要にできる。【選択図】      図１
2005047663.tif 000002
【特許請求の範囲】
【請求項１】
複数の仕分け先から送られてきた、各仕分け先の単位毎の物品の要求情報に応じて、前記各仕分け先および各仕分け先の単位毎に前記物品を仕分ける仕分け設備であって、
前記物品を保管するとともに、これら保管している物品の在庫情報を管理する複数の物品保管手段と、
前記物品保管手段に保管されている物品を搬出する複数の物品搬出手段と、
前記複数の物品搬出手段からそれぞれ搬出された物品を搬送し、これら物品を複数の分岐搬送経路へ分岐させて仕分ける仕分け手段
を備え、
前記各仕分け先をそれぞれ前記分岐搬送経路に引き当て、各分岐搬送経路毎に、前記要求情報を前記仕分け先および仕分け先の単位の順に整列させ、
各分岐搬送経路の整列させた仕分け先の単位の１個の物品に、分岐搬送経路の順に巡って、前記物品保管手段の物品の在庫情報を引き当て、
各分岐搬送経路において、異なる仕分け先の単位の物品が混じることがないように、前記引き当てられた物品保管手段の物品の在庫情報を群とし、
前記群毎に、引き当てられた在庫情報に基づいて物品の搬出情報を前記物品搬出手段へ出力し、前記物品搬出手段より搬出された物品を各分岐搬送経路へ仕分ける情報を出力する制御手段
を備えること
を特徴とする仕分け設備。
【請求項２】
前記制御手段は、
前記各分岐搬送経路の前記整列させた仕分け先の単位の１個の物品に、前記物品保管手段の在庫情報を引き当てるとき、
同一の物品搬出手段が連続して駆動されることがないように、前記物品保管手段の在庫情報の引き当ての入れ替えを行うこと
を特徴とする請求項１に記載の仕分け設備。
【請求項３】
前記物品保管手段は、前記物品の期限情報を前記在庫情報の一部として管理し、
前記制御手段は、各分岐搬送経路の前記整列させた仕分け先の単位の１個の物品に、前記物品保管手段の在庫情報を引き当てるとき、前記在庫情報の期限情報の古いものから優先的に引き当てること
を特徴とする請求項１または請求項２に記載の仕分け設備。
【請求項４】
前記各物品保管手段へ略同一期限の物品の保管を行うとき、前記略同一期限の物品を前記各物品保管手段に分散して保管すること
を特徴とする請求項３に記載の仕分け設備。
【請求項５】
前記各分岐搬送経路にそれぞれ、分岐された物品を前記仕分け先の単位毎に一時保留する保留部を設け、
先行して仕分けられた仕分け先の単位の物品が、分岐搬送経路の下流部から取り出されると、前記保留部に保留された物品が分岐搬送経路の下流部へ搬送されること
を特徴とする請求項１〜請求項４のいずれかに記載の仕分け設備。
【請求項６】
前記物品搬出手段からそれぞれ搬出された物品に、前記制御手段より出力された各分岐搬送経路へ仕分ける情報を表示する表示手段を取付ける取付け手段を設け、
前記仕分け手段は、前記物品に取付けられた表示手段の分岐搬送経路を確認することにより、前記物品を各分岐搬送経路に分岐すること
を特徴とする請求項１〜請求項５のいずれかに記載の仕分け設備。
【請求項７】
前記各分岐搬送経路にそれぞれ、各分岐搬送経路より取り出した物品を前記仕分け先の単位毎に積込み可能とした物品積込部が、複数段備えられた台車を配置すること
を特徴とする請求項１〜請求項６のいずれかに記載の仕分け設備。
【請求項８】
前記物品搬出手段が複数の物品を同時に搬出する機能を有しているとき、
前記仕分け先の単位の物品総数量が１個であると、この１個の物品の搬出に、この仕分け先の単位に引き当てられている分岐搬送経路において、先行する仕分け先の単位の最後の物品に引き当てた物品搬出手段を引き当て、
この物品搬出手段によって、前記仕分け先の単位の物品総数量が１個の物品と先行する仕分け先の単位の最後の物品を同時に搬出可能としたこと
を特徴とする請求項１〜請求項７のいずれかに記載の仕分け設備。
【発明の詳細な説明】
【技術分野】
【０００１】
本発明は、効率よく物品の仕分けを実行できる仕分け設備に関するものである。
【背景技術】
【０００２】
従来の上記仕分け設備として、仕分け対象の物品またはケースが収納または載置された複数の区画を有するストレージラインを備え、このストレージラインに沿って、前記各区画から物品またはケースの集品を行う複数の仕分けエリア（仮想オーダーゾーン）を順に移動させる集品ラインを設け、この集品ラインの各仕分けエリアを順に移動させながら各仕分けエリアへ、各仕分けエリアへ割り当てた仕分け先の注文の物品またはケースの集品が行われることにより、集品容器を用意することなく、仕分け作業を実行できる設備がある（例えば、特許文献１参照）。
【０００３】
このように、仕分け先の注文にしたがって物品またはケースの仕分けが実行されるが、仕分け先によっては、陳列する棚や通路に分けて物品またはケースの納入を指示されることがある。これによって、仕分け先、たとえばスーパーマーケットでは、納入された物品またはケースを、棚または通路毎に再仕分けを行う手間を省くことができる。
【０００４】
このような棚または通路別の注文のとき、仕分け設備では、作業者が仕分け先毎に仕分けされた物品またはケースを、注文の棚または通路別のリストにしたがって、棚または通路別の出荷用台車（かご車等）へ２次仕分けを行っている。
【特許文献１】特開２００３−１２１２５号公報
【発明の開示】
【発明が解決しようとする課題】
【０００５】
しかし、２次仕分けを行うためには、注文の棚または通路別の出荷用台車を並べて物品またはケースの仕分けを行わなければならず、広い仕分けスペースが必要となり、また２次仕分けの際に、出荷用台車への物品またはケースの積み間違いが発生しやすくなるという問題が発生する。
【０００６】
また上記２次仕分けを、自動仕分装置により各店舗の棚または通路別にシュートに仕分けることで行うことも可能であるが、各店舗の棚または通路別に設けるシュートの数は、店舗数の数倍から数十倍になるため、実際的にこのようなシュートを備えた設備を設けることは困難であった。
【０００７】
そこで、本発明は、作業者による２次仕分けを不要とし、店舗の棚または通路単位で物品の仕分けを行うことができ、よって２次仕分けミスによる物品またはケースの積み間違いを防止でき、さらに広い仕分けスペースを不要にでき、また多くのシュートを不要とする仕分け設備を提供することを目的としたものである。
【課題を解決するための手段】
【０００８】
前述した目的を達成するために、本発明のうち請求項１に記載の発明は、複数の仕分け先から送られてきた、各仕分け先の単位毎の物品の要求情報に応じて、前記各仕分け先および各仕分け先の単位毎に前記物品を仕分ける仕分け設備であって、
前記物品を保管するとともに、これら保管している物品の在庫情報を管理する複数の物品保管手段と、前記物品保管手段に保管されている物品を搬出する複数の物品搬出手段と、前記複数の物品搬出手段からそれぞれ搬出された物品を搬送し、これら物品を複数の分岐搬送経路へ分岐させて仕分ける仕分け手段とを備え、
前記各仕分け先をそれぞれ前記分岐搬送経路に引き当て、各分岐搬送経路毎に、前記要求情報を前記仕分け先および仕分け先の単位の順に整列させ、各分岐搬送経路の整列させた仕分け先の単位の１個の物品に、分岐搬送経路の順に巡って、前記物品保管手段の物品の在庫情報を引き当て、各分岐搬送経路において、異なる仕分け先の単位の物品が混じることがないように、前記引き当てられた物品保管手段の物品の在庫情報を群とし、前記群毎に、引き当てられた在庫情報に基づいて物品の搬出情報を前記物品搬出手段へ出力し、前記物品搬出手段より搬出された物品を各分岐搬送経路へ仕分ける情報を出力する制御手段を備えることを特徴とするものである。
【０００９】
上記構成によれば、群毎に、物品が各物品保管手段から物品搬出手段により搬出され、搬出された各物品は搬送され、仕分け手段により各分岐搬送経路へ仕分け先の単位毎に仕分けられる。これにより、仕分け先の単位の物品は、他の単位の物品と混じることがなく、各分岐搬送経路へ仕分けられ、分岐搬送経路の下流部から物品をかご車などの出荷用台車に移載するとき、作業者が仕分け先の単位毎に仕分ける２次仕分けを行う必要がなくなり、また出荷用台車を仕分け先の単位毎に並べておく必要がなくなり、分岐搬送経路毎に広いスペースを設ける必要がなくなる。また仕分け先の単位に分岐搬送経路を設ける必要がなく、分岐搬送経路の数を減少させることができる。
【００１０】
また請求項２に記載の発明は、上記請求項１に記載の発明であって、前記制御手段は、前記各分岐搬送経路の前記整列させた仕分け先の単位の１個の物品に、前記物品保管手段の在庫情報を引き当てるとき、同一の物品搬出手段が連続して駆動されることがないように、前記物品保管手段の在庫情報の引き当ての入れ替えを行うことを特徴とするものである。
【００１１】
上記構成によれば、同一の物品搬出手段が連続して駆動されることがなくなり、各物品搬出手段が略同時に駆動されて群の物品が略同時に搬出されることにより、作業効率が改善される。
【００１２】
また請求項３に記載の発明は、上記請求項１または請求項２に記載の発明であって、前記物品保管手段は、前記物品の期限情報を前記在庫情報の一部として管理し、前記制御手段は、各分岐搬送経路の前記整列させた仕分け先の単位の１個の物品に、前記物品保管手段の在庫情報を引き当てるとき、前記在庫情報の期限情報の古いものから優先的に引き当てることを特徴とするものである。
【００１３】
上記構成によれば、期限情報の古い物品から物品保管手段より搬出されて仕分けられ、よって物品保管手段内に期限切れで出荷ができない物品が発生することが回避される。
また請求項４に記載の発明は、上記請求項３に記載の発明であって、前記各物品保管手段へ略同一期限の物品の保管を行うとき、前記略同一期限の物品を前記各物品保管手段に分散して保管することを特徴とするものである。
【００１４】
上記構成によれば、整列させた仕分け先の単位の物品に、前記在庫情報の期限情報の古いものから優先的に引き当てるとき、前記在庫情報が各物品保管手段に分散して引き当てられ、よって各物品搬出手段が略均一に駆動される。その結果、作業効率が改善される。
【００１５】
また請求項５に記載の発明は、上記請求項１〜請求項４のいずれかに記載の発明であって、前記各分岐搬送経路にそれぞれ、分岐された物品を前記仕分け先の単位毎に一時保留する保留部を設け、先行して仕分けられた仕分け先の単位の物品が、分岐搬送経路の下流部から取り出されると、前記保留部に保留された物品が分岐搬送経路の下流部へ搬送されることを特徴とするものである。
【００１６】
上記構成によれば、各分岐搬送経路に保留部を設けることにより、２つの仕分け先の単位の物品を各分岐搬送経路へ仕分けることが可能となり、物品保管手段からの物品の搬出速度や度合いを高めることができ、作業効率が改善される。
【００１７】
また請求項６に記載の発明は、上記請求項１〜請求項５のいずれかに記載の発明であって、前記物品搬出手段からそれぞれ搬出された物品に、前記制御手段より出力された各分岐搬送経路へ仕分ける情報を表示する表示手段を取付ける取付け手段を設け、前記仕分け手段は、前記物品に取付けられた表示手段の分岐搬送経路を確認することにより、前記物品を各分岐搬送経路に分岐することを特徴とするものである。
【００１８】
上記構成によれば、群毎に搬出された物品にはそれぞれ、取付け手段により表示手段が取付けられることにより、各物品搬出手段より搬出される順に無関係に、仕分け手段により、表示手段に表示された分岐搬送経路にしたがって物品が各分岐搬送経路に分岐される。これにより、各物品搬出手段からの物品の搬出のタイミングにバラツキが許容され、各物品搬出手段から物品が搬出されるタイミングを調整する必要がなくなる。
【００１９】
また請求項７に記載の発明は、上記請求項１〜請求項６のいずれかに記載の発明であって、前記各分岐搬送経路にそれぞれ、各分岐搬送経路より取り出した物品を前記仕分け先の単位毎に積込み可能とした物品積込部が、複数段備えられた台車を配置することを特徴とするものである。
【００２０】
上記構成によれば、分岐搬送経路より取り出された物品が仕分け先の単位毎に各物品積込部に分けて積込まれ、そのまま仕分け先へ搬送することが可能となる。
また請求項８に記載の発明は、上記請求項１〜請求項７のいずれかに記載の発明であって、前記物品搬出手段が複数の物品を同時に搬出する機能を有しているとき、前記仕分け先の単位の物品総数量が１個であると、この１個の物品の搬出に、この仕分け先の単位に引き当てられている分岐搬送経路において、先行する仕分け先の単位の最後の物品に引き当てた物品搬出手段を引き当て、この物品搬出手段によって、前記仕分け先の単位の物品総数量が１個の物品と先行する仕分け先の単位の最後の物品を同時に搬出可能としたことを特徴とするものである。
【００２１】
上記構成によれば、仕分け先の単位の物品総数量が１個のとき、この仕分け先の単位の物品総数量が１個の物品と先行する仕分け先の単位の最後の物品が、複数の物品を同時に搬出する機能を有す物品搬出手段により同時に搬出され、作業効率が改善される。
【発明の効果】
【００２２】
本発明の仕分け設備は、群毎に、物品が各物品保管手段から物品搬出手段により搬出され、搬出された各物品は搬送され、仕分け手段により各分岐搬送経路へ仕分け先の単位毎に仕分けられることにより、仕分け先の単位の物品を、他の単位の物品と混じることがなく、各分岐搬送経路へ仕分けることができ、分岐搬送経路の下流部から物品をカートやかご車やパレットなどに移載するとき、作業者が仕分け先の単位毎に仕分ける必要がなくなり、作業効率を改善することができる。また作業者による２次仕分けが不要となり、よって作業者の積み間違いを防止できる。またカートやかご車やパレットなどを仕分け先の単位毎に並べておく必要がなくなり、分岐搬送経路毎に広いスペースを設ける必要がなくなり、省スペース化を図ることができる。また仕分け先の単位毎に分岐搬送経路を設ける必要がなくなり、分岐搬送経路の数を減少させることができる。
【発明を実施するための最良の形態】
【００２３】
以下、本発明の実施の形態を図面に基づいて説明する。
図１は本発明の実施の形態における仕分け設備の構成を示す配置図である。
【００２４】
この仕分け設備は、店舗（仕分け先の一例）から送られてきた店舗の通路（仕分け先の単位の一例）毎の注文（要求情報の一例）に応じて、店舗および店舗の通路毎に物品を仕分け、このように店舗の通路毎に物品を仕分けた状態で店舗へ納入するための仕分け設備である。
【００２５】
図１において、１は自動倉庫（物品保管手段の一例）であり、複数（図では、１号機から１０号機までの１０基）の自動倉庫１が並列に配置されている。各自動倉庫１には、複数の段ボール（物品の一例）２を保管し、段ボールの出し入れ方向が互いに対向するように間隔を隔てて設置された２基の保管棚３と、それらの保管棚３どうしの間に形成された作業通路を自動走行するスタッカークレーン（物品搬出手段の一例）４とが設けられている。また各保管棚３には、１個の段ボール２を保管する物品保管部５が上下多段かつスタッカークレーン３の走行方向に設けられ、各自動倉庫１の各物品保管部５に保管されている段ボール２を特定する商品名とその管理期限（期限情報の一例；たとえば、食品の場合は賞味期限、医薬品の場合は使用期限）が在庫情報として、各自動倉庫１のコントローラ６（図７）で管理されている。このように、各自動倉庫１において段ボール２が保管され、これら保管している段ボール２の在庫情報が管理されている。
【００２６】
また各自動倉庫１に、上下２段に配置された、スタッカークレーン４への段ボール２の搬入を行う入庫コンベヤ10、およびスタッカークレーン４からの段ボール２の搬出を行う出庫コンベヤ11が設けられている。
【００２７】
また各自動倉庫１の入庫コンベヤ10は、分岐装置15に接続され、段ボール２の入庫搬送コンベヤ16より搬送されてきた段ボール２は、この分岐装置15により入庫コンベヤ10へ分岐され、スタッカークレーン４により保管棚３へ入庫される。また各自動倉庫１の出庫コンベヤ11により搬送されてきた段ボール２は、合流装置26により合流されて主搬送コンベヤ（主搬送経路）17へ搬出され、主搬送コンベヤ17により搬送される。またこの主搬送コンベヤ17は、周回コンベヤを構成している。また分岐装置15の上流に段ボール２のバーコードを読取るバーコードリーダ16Ａが配置されている。
【００２８】
前記主搬送コンベヤ17には、主搬送コンベヤ17に沿って、合流装置26により合流され、主搬送コンベヤ17により搬送中の段ボール２に付されたバーコード（段ボールを特定する情報）を読取るバーコードリーダ12と、このバーコードリーダ12の下流に配置され、主搬送コンベヤ17により搬送中の段ボール２にラベル（表示手段の一例）13を貼付けるラベルプリンタ（取付け手段の一例）14が設けられている。前記ラベル13には、図２に示すように、段ボール２を分岐させて仕分ける分岐搬送経路18（後述する）の固有のナンバー（シュートＮｏ.）と、注文した店舗名と、店舗に割り当てられた固有の店舗番号（コード）と、店舗の通路のナンバー（仕分け先の単位を特定する情報の一例）と、これらを示すバーコードが印刷される。
【００２９】
また前記主搬送コンベヤ17の一部には、その側部外方に複数（図ではシュートＮｏ.１からシュートＮｏ.３までの３基）の分岐搬送経路18が設けられ、主搬送コンベヤ17上を搬送されている段ボール２は、分岐装置（仕分け手段の一例）19により分岐搬送経路18へ分岐されて仕分けられる。また主搬送コンベヤ17に沿って分岐装置19の上流に、搬送されている段ボール２に貼付けられた前記ラベル13のバーコードを読取るバーコードリーダ20が配置されている。
【００３０】
各分岐搬送経路18は、分岐されてきた段ボール２を順に保留し、店舗の通路毎の段ボール２を一時保留可能なアキュムレーションコンベヤからなる保留コンベヤ（保留部の一例）21と、段ボール２が自重で滑り移動するスライダ22と、保留コンベヤ21から搬出された段ボール２をスライダ22へ移動させる移動装置23から構成されている。また保留コンベヤ21の上流に段ボール２で満量となっているかどうかを検出する光電スイッチからなる満量検知器24が設けられ、保留コンベヤ21の下流端に段ボール２に貼付けられたラベル13のバーコードを読取るバーコードリーダ25が配置され、またスライダ22の下流部に、表示器27と、操作パネル28と、図３に示すブザー付き警告灯（赤）30および満量警報灯（黄）31とが配置されている。
【００３１】
前記表示器27には、図４に示すように、注文した店舗の番号（コード）と、店舗の通路の番号と、この店舗の通路に仕分ける段ボール２の残数が表示され、また操作パネル28には、図５に示すように、段ボール２のランプ付き積出し完了釦33と、強制完了釦34と、ブザー付き警告灯30のブザー停止および消灯を行う停止消灯釦35が配置されている。
【００３２】
また各分岐搬送経路18の下流部には、図６に示すように、分岐搬送経路18より取り出した段ボール２を店舗の通路毎に積込み可能な物品積込部δが、複数段（図では３段）備えられたカート（出荷用台車；台車の一例）37が配置される。物品積込部δは、カート37に設けた２枚の棚板38により３段に渡って設けられ、店舗の通路毎に段ボール２を分けて積込みできるように構成されており、物品積込部δの段ボール２を積み積むことが可能な長さＬを、店舗の通路毎に積込まれる段ボール２の長さを加算し、これら複数の店舗の通路毎の加算値の平均をとった値（平均値）としている。またカート37の長さを、この１段の物品積込部δの長さＬにより決定している。
【００３３】
上記仕分け設備の制御構成図を図７に示す。
［自動倉庫のコントローラ］
各自動倉庫１のコントローラ６に、各自動倉庫１のスタッカークレーン４と入庫コンベヤ10と出庫コンベヤ11が接続されている。以下、各自動倉庫１のコントローラ６の動作を説明する。
【００３４】
「出庫」
各自動倉庫１のコントローラ６は、後述する仕分け制御コントローラ45より、「段ボール２の商品名と、段ボール２を分岐させて仕分ける分岐搬送経路18のナンバー（シュートナンバー）と、注文した店舗名と、店舗に割り当てられた固有の店舗番号（コード）と、店舗の通路のナンバー」からなる出庫データを入力すると、この出庫データの商品名の段ボール２を保管している物品保管部５を、管理している在庫情報により求め、スタッカークレーン４へ、求めた物品保管部５を指定した出庫指令を出力して、スタッカークレーン４により指定した物品保管部５より段ボール２を取り出させて搬送させ、出庫コンベヤ11の上流（保管棚３側）の指定位置へ卸させる。続いてコントローラ６は、出庫コンベヤ11を駆動して段ボール２を下流（合流装置26側）に搬送させ、この出庫コンベヤ11を駆動するタイミングで、タイミング信号を後述する合流装置コントローラ39へ出力し、また出庫した段ボール２の商品名と自動倉庫１の号機ナンバーからなる出庫済みデータを仕分け制御コントローラ45へ出力する。
【００３５】
「入庫」
各自動倉庫１のコントローラ６は、後述する分岐装置コントローラ40より段ボール２のバーコード読取りデータ（商品名に相当する）と管理期限の情報からなる入庫データを入力すると、入庫コンベヤ10を駆動して分岐装置15から入庫された段ボール２を上流側へ搬送し、また空きの物品保管部５を求め、スタッカークレーン４に対して、求めた空きの物品保管部５を指定した出庫指令を出力して、スタッカークレーン４によって入庫された段ボール２を指定した物品保管部５に保管させる。
【００３６】
また各自動倉庫１のコントローラ６は、上記入出庫に伴い、在庫情報を更新・管理する。
［分岐装置15のコントローラ］
また分岐装置15用のコントローラ40が設けられ、この分岐装置コントローラ40に、分岐装置15と、バーコードリーダ16Ａが接続されている。
【００３７】
分岐装置コントローラ40は、自動倉庫１への入庫時に、後述する仕分け制御コントローラ45から「商品（コード）と引き当てた自動倉庫１の号機と管理期限の情報」からなる入庫管理データを入力すると、バーコードリーダ16Ａのバーコードの読取りデータと前記入庫管理データにしたがって、分岐装置15を駆動して自動倉庫１の１号機〜１０号機の各入庫コンベヤ10へ段ボール２を仕分け、仕分けた自動倉庫１のコントローラ６に対して、段ボール２のバーコード読取りデータと入庫管理データの管理期限の情報からなる入庫データを出力する。
［合流装置26のコントローラ］
また合流装置26用のコントローラ39が設けられ、この合流装置コントローラ39に、合流装置26が接続されている。
【００３８】
合流装置コントローラ39は、出庫時に、自動倉庫１のコントローラ６より出力される上記タイミング信号で段ボール２の搬出を確認し、各出庫コンベヤ11により搬出される段ボール２が主搬送コンベヤ17上で一定の間隔（段ボール２を分岐装置19により分岐可能な間隔）を維持するように段ボール２を合流させる。
［分岐装置19のコントローラ］
また分岐装置19用に分岐コントローラ41が設けられ、この分岐コントローラ41に、分岐装置19と、バーコードリーダ20と、各分岐搬送経路18毎の満量検知器24および満量警報灯（黄）31が接続されている。この分岐コントローラ41は、バーコードリーダ20より、搬送されている段ボール２に貼付けられた前記ラベル13のバーコードのデータを入力すると、このバーコードデータの分岐搬送経路18のナンバーに基づいて分岐装置19を駆動して段ボール２を分岐する。また分岐する分岐搬送経路18の満量検知器24が動作していると、この分岐搬送経路18への分岐を中止するとともに満量警報灯（黄）31を点灯する。このとき、段ボール２は主搬送コンベヤ17により周回される。
［シュート管理コントローラ］
また各分岐搬送経路18毎にシュート管理コントローラ42が設けられ、各コントローラ42に、分岐搬送経路18の保留コンベヤ21および移動装置23と、バーコードリーダ25と、表示器27と、操作パネル28のランプ付き積出し完了釦33、強制完了釦34、および停止消灯釦35と、ブザー付き警告灯30とが接続されている。
【００３９】
各シュート管理コントローラ42はそれぞれ、２つの機能を有している。
まず第１の機能として、後述する仕分け制御コントローラ45より入力される「店舗の通路毎の段ボール２の注文数量」からなる仕分けデータにより予め店舗の通路毎の段ボール２の注文数量を記憶し、最初は保留コンベヤ21および移動装置23を連続駆動し、最初の段ボール２のラベル13のバーコードがバーコードリーダ25により読取られると、このバーコードの店舗番号と、店舗の通路の番号と、この店舗の通路の番号から求められる段ボール２の注文数量から１つカウントダウンした数量、すなわち残数を表示器27へ表示させる。
【００４０】
続いて段ボール２がバーコードリーダ25位置を通過する毎に残数を減らして表示させ、残数が０となると、積出し完了釦33のランプを点灯し、このバーコードリーダ25の位置で次の段ボール２が停止するように保留コンベヤ21を間欠駆動し、移動装置23を停止する。以後の段ボール２は保留コンベヤ21上に保留される。
【００４１】
そして積出し完了釦33の操作信号を入力すると、保留コンベヤ21と移動装置23を連続駆動して保留している段ボール２を、そのラベル13をバーコードリーダ25により読取りながらスライダ22へ払い出す。
【００４２】
また第２の機能として、残数が０となる前に、バーコードリーダ25により読取ったバーコードのデータにより、先に通過した段ボール２の店舗番号または店舗の通路の番号と異なる段ボール２であることを確認すると、保留コンベヤ21を停止して、この段ボール２をこのバーコードリーダ25位置で停止させ、ブザー付き警告灯30を駆動してブザーを鳴動させランプを点灯する。
【００４３】
そして停止消灯釦35の操作信号を入力すると、ブザー付き警告灯30のブザーの鳴動を停止しランプを消灯する。また強制完了釦34の操作信号を入力すると、保留コンベヤ21を再駆動して段ボール２のスライダ22への払い出しを再開する。
［仕分け制御コントローラ］
上記１０基の自動倉庫１のコントローラ６と、バーコードリーダ12と、ラベルプリンタ14と、合流装置コントローラ39と、分岐装置コントローラ40と、分岐装置19の分岐コントローラ41と、３基の分岐搬送経路18のシュート管理コントローラ42は、仕分け制御コントローラ（制御手段の一例）45に接続されている。
【００４４】
仕分け制御コントローラ45には、複数の店舗からそれぞれ、上記店舗の通路毎の注文データ（商品名と数量）が送られてくる。図８（ａ）に注文データの一例を示す。３つの店舗Ａ，Ｂ，Ｃから、Ａ店舗では通路（Ａ−１），（Ａ−２），（Ａ−３），（Ａ−４）の別に、Ｂ店舗では通路（Ｂ−１），（Ｂ−２），（Ｂ−３），（Ｂ−４），（Ｂ−５），（Ｂ−６）の別に、Ｃ店舗では通路（Ｃ−１），（Ｃ−２），（Ｃ−３），（Ｃ−４），（Ｃ−５），（Ｃ−６）の別に商品が注文されている。この注文データは、出荷予定データとなる。
【００４５】
また仕分け制御コントローラ45は、注文を受けた店舗にそれぞれ、固有の店舗番号（コード）を割り当てる。
以下、この仕分け制御コントローラ45の動作を説明する。
【００４６】
「各自動倉庫１の保管棚３への段ボール２の入庫の管理」
自動倉庫１へ同一管理期限の段ボール２の保管を行うとき、同一管理期限の段ボール２を各自動倉庫１に分散して保管するように入庫管理データを形成する。すなわち、図１１に示すように、商品（段ボール）のコード別に、複数（図では５つ）のテーブルを形成し、各テーブル毎に、同一管理期限の段ボール２を入庫する自動倉庫１の号機を順に引き当てるように、引き当てが済むと次の号機の番号をテーブルに記憶している。また新しい管理期限の段ボール２を入庫するときには、最も古い管理期限のテーブルを消去して新しい管理期限のテーブルに更新し、１号機から順に引き当て、引き当てが済むと次の号機の番号をテーブルに記憶している。たとえば図１１において、入庫前のテーブルにおいて、管理期限2002/4/4の段ボール２を追加して入庫するときは、２号機から引き当て、２号機を引き当てると、次号機を３号機と記憶する。また全く新しい管理期限2002/6/6の段ボール２を入庫するときは、入庫後のテーブルに示すように、最も古い管理期限2002/1/1のテーブルのデータを消去して、新しい管理期限2002/6/6のテーブルを形成し、１号機を引き当てると、次号機を２号機と記憶する。
【００４７】
商品（コード）と引き当てた自動倉庫１の号機と管理期限の情報は、入庫管理データとして分岐装置コントローラ40へ出力され、段ボール２は各自動倉庫１へ分岐され、管理期限が同一の商品（段ボール）は、各自動倉庫１の号機に順に引き当てられ、分散して保管される。
【００４８】
「段ボールの在庫データの形成」
実際に仕分けを開始する前に、各自動倉庫１のコントローラ６において管理されている在庫情報を呼び出し、図８（ｂ）に示すように、段ボール２の商品別に、かつ管理期限が古い順に保管されている自動倉庫（ＲＭ）１の号機番号を並べて、全ての自動倉庫１に保管されている段ボール２の在庫データを形成する。図８（ｂ）では、４つの商品「あ」，「い」，「う」，「え」について、在庫データが形成されている。図８（ｂ）から判るように、上記各自動倉庫１の保管棚３への段ボール２の入庫の管理により、管理期限が同一の商品は、各自動倉庫１の号機に分散して保管されている。
【００４９】
「分岐搬送経路への店舗の引き当て」
上記出荷予定データの各店舗にそれぞれ各分岐搬送経路18を引き当て、続いて各分岐搬送経路18毎に、店舗の通路の順に注文を整列する。図８（ｃ）では、店舗Ａにシュート（１）、店舗Ｂにシュート（２）、店舗Ｃにシュート（３）が割り当てられ、シュート（１）に、店舗の通路（Ａ−１），（Ａ−２），（Ａ−３），（Ａ−４）別の注文（商品名と数量）が整列され、シュート（２）に店舗の通路（Ｂ−１），（Ｂ−２），（Ｂ−３），（Ｂ−４），（Ｂ−５），（Ｂ−６）別の注文（商品名と数量）が整列され、シュート（３）に、店舗の通路（Ｃ−１），（Ｃ−２），（Ｃ−３），（Ｃ−４），（Ｃ−５），（Ｃ−６）別の注文（商品名と数量）が整列されている。
【００５０】
「各店舗の通路の（注文）１個の段ボール毎への在庫データの引当」
図９（ａ）に、この在庫データの引当の手順を示す。
ステップ−１
各分岐搬送経路18の整列させた通路の注文の１個の段ボール２に、分岐搬送経路18の順にサイクリックに（巡って）、上記形成した段ボール２の在庫データを管理期限の古いものから優先的に引き当てる。
【００５１】
図９（ｂ）に示すように、シュート（１）（２）（３）の順にサイクリックに、通路（Ａ−１），（Ｂ−１），（Ｃ−１）の注文の段ボール２の商品に、在庫データの管理期限の古いものから引き当てている。
【００５２】
ステップ−２
次に、同一のスタッカークレーン４が連続して駆動されることがないように、在庫データの引き当ての入れ替えを行う。
【００５３】
図９（ｂ）では、８番目に引き当てられたシュート（２）の通路（Ｂ−２）の注文の段ボール２の商品（あ）は在庫データの順番からだと７号機に引き当てられるが、一つの前の引き当てが７号機なことから、８号機に入れ替えている。
【００５４】
ステップ−３
次に、各分岐搬送経路18において、異なる店舗の通路毎の段ボール２が混じることがないように、引き当てられた自動倉庫１の号機の在庫データでグループ（群）を形成する。
【００５５】
図９（ｂ）では、１番目と４番目に引き当てられた商品「あ」は、同じ通路（Ａ−１）のものであるから、後先が逆にシュート（１）に仕分けられても問題はない。したがって、同じグループとしている。このグループ化に伴う、各シュート（１）（２）（３）に仕分けられる店舗の通路毎の段ボール２の順を図１０（ａ）に、各自動倉庫１の起動状況を図１０（ｂ）に示す。グループ１では、自動倉庫１の１号機、３号機、４号機、５号機が駆動されて、通路（Ｂ−１）と、通路（Ａ−１）と、通路（Ｃ−１）と、通路（Ａ−１）の注文の段ボール２が搬出される。また図１０（ａ）に示す各シュート（１）（２）（３）に仕分けられる店舗の通路毎の段ボール２の注文数量を仕分けデータとして、各シュート管理コントローラ42へ出力する。
【００５６】
「グループ出庫」
上記のように、各店舗の通路の注文された段ボール２の１個毎に、在庫データが引き当てられ引当データが形成されると、仕分け制御コントローラ45は、実際の仕分けをグループ毎に実行する。
【００５７】
すなわち、まずグループ１の自動倉庫１に対して、引当データに基づいて、「商品と、分岐搬送経路18のナンバー（シュートナンバー）と、店舗名と、店舗の店舗番号（コード）と、店舗の通路のナンバー」からなる出庫データを出力する。
【００５８】
図９（ｂ）の例では、自動倉庫１の３号機の自動倉庫コントローラ６に対して、『商品「あ」、シュートナンバー（１）、店舗（Ａ）、この店舗（Ａ）のコード、店舗の通路のナンバー（１）』からなる出庫データを出力し、１号機に対して、『商品「う」、シュートナンバー（２）、店舗（Ｂ）、この店舗（Ｂ）のコード、店舗の通路のナンバー（１）』からなる出庫データ、４号機に対して、『商品「あ」、シュートナンバー（３）、店舗（Ｃ）、この店舗（Ｃ）のコード、店舗の通路のナンバー（１）』からなる出庫データ、５号機に対して、『商品「あ」、シュートナンバー（１）、店舗（Ａ）、この店舗（Ａ）のコード、店舗の通路のナンバー（１）』からなる出庫データを出力する。
【００５９】
これら出庫データに基づいてそれぞれ各自動倉庫１より段ボール２が出庫されて合流装置15へ搬出され、各自動倉庫１のコントローラ６より上記出庫済みデータを入力すると、主搬送コンベヤ17により搬送中の段ボール２のバーコードをバーコードリーダ12により読取らせてこのバーコードのデータ（商品名）により指定した段ボール２の出庫を確認し、このバーコードのデータ（商品名）および前記出庫データに基づいてラベルプリンタ14へ、上記出庫データの「分岐搬送経路18のナンバーと、店舗名と、店舗の店舗番号（コード）と、店舗の通路のナンバーと、これらを示すバーコードのデータ」からなる発行データを出力してラベル13を印刷させ、搬送中の段ボール２へ自動貼付けさせる。そして、次のグループの出庫データを出力する。
［作用］
上記構成による作用を説明する。
【００６０】
仕分け制御コントローラ45は、各店舗から、各店舗の通路毎の注文データ（商品名と数量）が送られてくると、図９（ｂ）に示すように、上記引当データを形成し、グループ出庫を開始する。
【００６１】
このグループ出庫により、まずグループ（１）の引当データに基づいて各自動倉庫１から段ボール２が出庫され、合流装置26により間隔を空けて主搬送コンベヤ17に投入され、ラベル13が貼付けられる。
【００６２】
グループ（１）の出庫が終了すると、続いてグループ（２）の段ボール２が出庫される。この作用は各グループの段ボール２の出庫が終了する毎に実行される。
グループ毎に主搬送コンベヤ17へ投入された段ボール２は主搬送コンベヤ17により搬送され、バーコードリーダ20によりラベル13に印刷されたバーコードが読取られ、このバーコードより分岐するシュートナンバーが求められ、分岐コントローラ41はこのシュートナンバーの分岐搬送経路18が満量ではないことを満量検知器24が動作していないことで確認して段ボール２を分岐搬送経路18へ分岐させて仕分ける。満量のとき、段ボール２を周回させ、満量警報灯31を点灯させる。
【００６３】
また各分岐搬送経路18の保留コンベヤ21と移動装置23は最初は連続駆動されており、各シュート管理コントローラ42は、最初の段ボール２のラベル13のバーコードがバーコードリーダ25により読取られると、このバーコードの店舗番号と、店舗の通路の番号と、この店舗の通路の番号から求められる段ボール２の注文数量から１つカウントダウンした数量、すなわち残数を表示器27へ表示させる。各分岐搬送経路18の作業者は、表示器27により店舗と、店舗の通路の番号を確認して、保留コンベヤ21よりスライダ22へ送出されて滑り移動してきた段ボール２を、店舗の通路別にカート37へ積込む。このとき、カート37の１段を店舗の通路別に指定して、この段に、順に送られてくる、同じ店舗の通路の段ボール２を積込む。なお、１段に同じ店舗の通路の段ボール２を積込むことができないとき、次の段に積込むが、この段には他の店舗の通路の段ボール２を積込まないようにする。そして、店舗の通路の段ボール２の残数が０（ゼロ）となると、積出し完了釦33が点灯し、作業者は通路単位の段ボール２の移載が終了したと判断して、積出し完了釦33を操作する。
【００６４】
またシュート管理コントローラ42は、次の通路の番号の段ボール２をバーコードリーダ25位置で保留しており、積出し完了釦33の操作信号を入力すると、次の通路のデータを表示器27へ表示させ、この通路の番号の段ボール２を保留コンベヤ21と移動装置23を駆動してスライダ22へ送出する。作業者は、先の通路の番号の段ボール２と分けて、たとえばカート37の段を替えて、あるいは別のカート37を用意して段ボール２を移載する。このように、先行して仕分けられた店舗の通路単位の段ボール２が、分岐搬送経路18の下流部から取り出されると、保留コンベヤ21に保留された段ボール２が分岐搬送経路18の下流部へ搬送される。
【００６５】
またシュート管理コントローラ42は、残数が０（ゼロ）となる前に、バーコードリーダ25により読取ったバーコードのデータにより、先に通過した段ボール２の店舗番号または店舗の通路の番号と異なる段ボール２であることを確認すると、保留コンベヤ21を停止して、この段ボール２をこのバーコードリーダ25位置で停止させ、ブザー付き警告灯30を駆動してブザーを鳴動させランプを点灯させる。作業者は、ブザー付き警告灯30の駆動を確認すると、送られてくる段ボール２に違う店舗または店舗の番号の段ボール２が混じっていることを確認し、停止消灯釦35を操作する。シュート管理コントローラ42はこの操作信号を入力すると、ブザー付き警告灯30のブザーの鳴動を停止しランプを消灯する。
【００６６】
続いて作業者は、強制完了釦34を操作する。シュート管理コントローラ42はこの強制完了釦34の操作信号を入力すると、保留コンベヤ21と移動装置23を駆動して段ボール２のスライダ22への払い出しを再開する。作業者は、ラベル13により違う店舗または店舗の番号の段ボール２を見出してリジェクトし、正しい店舗の番号のカート37へ載せて出荷する。
【００６７】
このように店舗の通路毎の注文データに応じて、段ボール２はカート37に積込まれ、そのまま店舗へ出荷される。
以上のように本実施の形態によれば、グループ毎に、段ボール２が各自動倉庫１の保管棚３からスタッカークレーン４により搬出され、搬出された各段ボール２は搬送され、分岐装置19により各分岐搬送経路18へ通路の単位毎に仕分けられることにより、通路の単位の段ボール２は、他の通路の段ボール２と混じることがなく、各分岐搬送経路18へ仕分けられ、よって分岐搬送経路18の下流部から段ボール２をカート37に移載するとき、作業者が通路の単位毎に段ボール２を仕分ける２次仕分けを不要とすることができ、作業効率を改善することができ、また従来のような２次仕分けによる作業者の積み間違いを防止できる。また各分岐搬送経路18にカート37を通路の単位毎に並べておく必要がなくなり、分岐搬送経路18毎に広いスペースを設ける必要をなくすことができ、省スペース化を図ることができる。また通路の単位毎に分岐搬送経路18を設ける必要がなく、分岐搬送経路18の数を減少させることができ、よって省スペース化を図ることができる。
【００６８】
また本実施の形態によれば、同一のスタッカークレーン４が連続して駆動されることがなくなり、各スタッカークレーン４が略同時に駆動され、グループの段ボール２が略同時に搬出されることにより、作業効率を改善できる。
【００６９】
また本実施の形態によれば、管理情報の古い段ボール２から仕分けられ、自動倉庫１の保管棚３内に期限切れで出荷ができない段ボール２が発生することが回避することができる。
【００７０】
また本実施の形態によれば、整列させた通路の番号単位の段ボール２に、在庫情報の管理期限の古いものから優先的に引き当てると、在庫データが各自動倉庫１に分散して引き当てられることによって、グループの段ボール２を搬出する各スタッカークレーン４が略均一に駆動され、その結果、作業効率を改善することができる。
【００７１】
また本実施の形態によれば、各分岐搬送経路18に保留コンベヤ21を設けることにより、２つの通路の単位の段ボール２を仕分けることが可能となり、自動倉庫１からの段ボール２の搬出速度・度合いを高めることができ、作業効率を改善することができる。
【００７２】
また本実施の形態によれば、グループ毎に搬出された段ボール２にはそれぞれ、ラベルプリンタ14によりラベル13が取付けられることにより、各スタッカークレーン４より搬出される順に無関係に、分岐装置19により、ラベル13に表示された分岐搬送経路18にしたがって段ボール２が各分岐搬送経路18に分岐できることにより、各スタッカークレーン４からの段ボール２の搬出のタイミングにバラツキが許容され、各スタッカークレーン４から段ボール２が搬出されるタイミングを調整する必要がなくなり、仕分け制御を容易にすることができる。
【００７３】
また本実施の形態によれば、各分岐搬送経路18より、通路の単位に分けて段ボール２をカート37の各段の物品積込部δに積込むことができ、通路毎に分けた状態で段ボール２を出荷することができる。
【００７４】
なお、上記実施の形態では、スタッカークレーン４を、１回で１個の段ボール２の入出庫を行う構成としているが、２個の段ボール２を同時に入出庫できるツインフォークタイプのスタッカークレーン４とすることができる。このツインフォークタイプのスタッカークレーン４を各自動倉庫１に備える場合、通路の番号単位の段ボール２の総数量が１個のとき、この１個の段ボール２の搬出に、この通路の単位に引き当てられているシュートナンバーの分岐搬送経路18において、先行する通路の単位の最後に引き当てた段ボール２を搬出するスタッカークレーン４（自動倉庫１の号機）を引き当てる。すると、通路の番号により段ボール２が混じることなく、スタッカークレーン４によって、この通路の単位の総数量が１個の段ボール２と先行する通路の単位の最後の段ボール２を同時に搬出することができ、作業効率を改善することができる。
【００７５】
また上記実施の形態では、各自動倉庫１には、１台のスタッカークレーン４を配置しているが、各自動倉庫１に複数、たとえば２台のスタッカークレーン４を配置するようにしてもよい。このとき、図８（ｂ）に示すように全ての自動倉庫１に保管されている段ボール２の在庫データを形成する際、商品別に、かつ管理期限が古い順に保管されている自動倉庫１の号機番号を並べるとともに、所属する２台のスタッカークレーン４の番号としてＡ号機，Ｂ号機を記し、たとえば３号機のとき、番号３−Ａ，３−Ｂを記載した在庫データを形成する。そして、各店舗の通路の（注文）１個の段ボール毎への在庫データの引当てを行うとき、自動倉庫１の号機とともにスタッカークレーン４のＡ号機またはＢ号機を指定する。
【００７６】
このように、スタッカークレーン４の台数を増すことにより、分岐搬送経路18の数が多いとき、グループ毎に同時に駆動するスタッカークレーン４の台数を増すことができ、作業効率を改善することができる。また各スタッカークレーン４用として、入庫コンベヤ10と出庫コンベヤ11を１台ずつ備えているが、これら入庫コンベヤ10と出庫コンベヤ11をそれぞれ２台以上設けるようにしてもよく、さらに上下に配置した一対の入庫コンベヤ10と出庫コンベヤ11に、２台のスタッカークレーン４から段ボール２の搬入出を行うようにしてもよい。
【００７７】
また上記実施の形態では、自動倉庫１のコントローラ６において、各物品保管部５に保管された段ボール２の在庫情報の管理を行っているが、仕分け制御コントローラ45において各自動倉庫１の在庫情報の管理を行ってもよい。
【００７８】
また本実施の形態では、仕分け先の単位を、店舗の通路としているが、店舗の区画や棚などとすることもできる。
また本実施の形態では、保留部の保留コンベヤ21を、アキュムレーションコンベヤにより構成しているが、アキュムレーションコンベヤに限ることはなく、終端（移動装置23への段ボールの搬出端）に、段ボール２の移動を阻止するストッパを備えたコンベヤにより形成してもよい。段ボール２を保留するとき、ストッパを上げて段ボール２が搬出されることを阻止し、スライダ22へ搬出するとき、ストッパを下げて段ボール２の搬出を可能とする。
【００７９】
また本実施の形態では、図１１に示すように、「同一」の管理期限の段ボール２をテーブルで管理しているが、管理期限が近い期日の段ボール２を１つのテーブルで管理するようにしてもよい。このとき、「略同一」の管理期限の段ボール２が各自動倉庫１に分散して保管されるように入庫管理データが形成される。
【００８０】
また本実施の形態では、物品を段ボール２としているが、コンテナやバケットやケースなどであってもよい。
また本実施の形態では、物品の搬送手段としてカート37を使用しているが、カート37に限ることはなく、かご車やパレットなどを使用することも可能である。
【図面の簡単な説明】
【００８１】
【図１】本発明の実施の形態における仕分け設備の配置構成図である。
【図２】同仕分け設備で発行されるラベルの説明図である。
【図３】同仕分け設備の警告灯と満量警報灯の斜視図である。
【図４】同仕分け設備の表示器の正面図である。
【図５】同仕分け設備の操作パネルの正面図である。
【図６】同仕分け設備のカートの側面図である。
【図７】同仕分け設備の制御構成図である。
【図８】同仕分け設備の出荷予定データ、在庫データの説明図である。
【図９】同仕分け設備の仕分け制御コントローラにおける引当てデータの形成手順を示すフローチャート、および引当てデータの説明図である。
【図１０】同仕分け設備の各分岐搬送経路毎に割り当てられた店舗の通路、および各自動倉庫に割り当てられた店舗の通路の説明図である。
【図１１】同仕分け設備の仕分け制御コントローラにおける入庫データ形成の説明図である。
【符号の説明】
【００８２】
１    自動倉庫
２    段ボール
３    保管棚
４    スタッカークレーン
５    物品保管部
６    自動倉庫のコントローラ
10    入庫コンベヤ
11    出庫コンベヤ
12，16Ａ，20，25    バーコードリーダ
13    ラベル
14    ラベルプリンタ
15    分岐装置
16    入庫搬送コンベヤ
17    主搬送コンベヤ
18    分岐搬送経路
19    分岐装置
21    保留コンベヤ
22    スライダ
26    合流装置
27    表示器
28    操作パネル
37    カート
39    合流装置コントローラ
40    分岐装置コントローラ
41    分岐コントローラ
42    シュート管理コントローラ
45    仕分け制御コントローラ
δ    物品積込部
【図１】
2005047663.tif 000003
【図２】
2005047663.tif 000004
【図３】
2005047663.tif 000005
【図４】
2005047663.tif 000006
【図５】
2005047663.tif 000007
【図６】
2005047663.tif 000008
【図７】
2005047663.tif 000009
【図８】
2005047663.tif 000010
【図９】
2005047663.tif 000011
【図１０】
2005047663.tif 000012
【図１１】
2005047663.tif 000013